(57)【特許請求の範囲】
【請求項１】
米、水を収納する釜と、
上記釜を収納する外胴と、
上記外胴の蓋をする外蓋と、
上記釜の蓋をする内蓋と、
上記内蓋の中心孔に挿通して該内蓋を上記外蓋の内側に保持する内蓋保持軸と、
上記内蓋と外蓋との間で、保温加熱用の蓋ヒータを保持する蓋ヒータカバーと、
釜内の温度を検出する温度検出素子とを備えた炊飯器において、
上記蓋ヒータカバーは、上記外蓋の中心部分に下面から溶接される外蓋軸に固定され、
上記内蓋保持軸は、上記蓋ヒータカバーに固定されるとともに、その中心を軸方向に貫通する貫通孔を形成し、上記温度検出素子を該貫通孔の内壁に固定することを特徴とする炊飯器。
【請求項２】
上記外蓋軸は、外蓋下面との接触面にリング状の突起を形成し、プロジェクション溶接により外蓋に固着されることを特徴とする請求項１記載の炊飯器。
【発明の詳細な説明】
【０００１】
【発明の属する技術分野】
本発明は炊飯器に関する。
【０００２】
【従来の技術】
従来から、釜内温度を検出するための蓋サーミスタを外蓋の内側に備えた炊飯器が知られている。一般にこのような炊飯器には、保温加熱のための蓋ヒータが設けられ、外蓋の内側で蓋ヒータカバーに覆われて収納保持されている。この蓋ヒータカバーは、外蓋を貫通する外蓋軸に吊り下げ固定される。蓋サーミスタはこの蓋ヒータカバー内に収納される場合が多いが、温度検出の精度の低下を防ぐため、蓋サーミスタの温度検出部分を釜内に露出させた構造のものも知られている。このような構造では、棒状の温度検出部を形成する蓋サーミスタをサーミスタ固定用樹脂に貫通させて固定し、そのサーミスタ固定用樹脂をパッキンを挟んで蓋ヒータカバー上面に固定し、蓋ヒータカバー下面に取付けられた筒状の内蓋軸から蓋サーミスタの下端を露出させていた。
【０００３】
【発明が解決しようとする課題】
しかしながら、上述したような構造では部品点数が多くなり、製造コストが高くなってしまうといった問題があった。また、外蓋軸が外蓋を貫通して設けられることにより、外部からの水の侵入を防ぐための構成が必要になるだけでなく、外蓋外面の塗装時には外蓋軸の露出部も塗装しなければならず、製造コストが高くなってしまうといった問題があった。
本発明の炊飯器は上記課題を解決し、外蓋内側に部品を固定する構成を簡単にすることを目的とする。
【０００４】
【課題を解決するための手段】
上記課題を解決する本発明の請求項１記載の炊飯器は、
米、水を収納する釜と、
上記釜を収納する外胴と、
上記外胴の蓋をする外蓋と、
上記釜の蓋をする内蓋と、
上記内蓋の中心孔に挿通して該内蓋を上記外蓋の内側に保持する内蓋保持軸と、
上記内蓋と外蓋との間で、保温加熱用の蓋ヒータを保持する蓋ヒータカバーと、
釜内の温度を検出する温度検出素子とを備えた炊飯器において、
上記蓋ヒータカバーは、上記外蓋の中心部分に下面から溶接される外蓋軸に固定され、
上記内蓋保持軸は、上記蓋ヒータカバーに固定されるとともに、その中心を軸方向に貫通する貫通孔を形成し、上記温度検出素子を該貫通孔の内壁に固定することを要旨とする。
【０００５】
上記課題を解決する本発明の請求項２記載の炊飯器は、請求項１記載の炊飯器において、
上記外蓋軸は、外蓋下面との接触面にリング状の突起を形成し、プロジェクション溶接により外蓋に固着されることを要旨とする。
【０００６】
上記構成を有する本発明の請求項１記載の炊飯器は、内蓋の中心孔に挿通して内蓋を外蓋の内側に保持する内蓋保持軸を備える。この内蓋保持軸の中心には軸方向に貫通孔を形成し、釜内の温度を検出する温度検出素子を貫通孔の内壁に固定する。このように、内蓋保持軸により内蓋を保持するだけでなく、温度検出素子も固定する。
しかも、内蓋保持軸は、保温加熱用の蓋ヒータを保持する蓋ヒータカバーに固定される。
【０００７】
上記構成を有する本発明の請求項２記載の炊飯器は、外蓋軸の外蓋下面との接触面にリング状の突起を形成し、プロジェクション溶接により外蓋に固着する。そのため、外蓋軸を外蓋外面に露出しない。
【０００８】
【発明の実施の形態】
以上説明した本発明の構成・作用を一層明らかにするために、以下本発明の炊飯器の好適な実施例について説明する。
図１は、本発明の一実施例としての炊飯器の蓋部分の構成を表わす断面図である。この炊飯器の蓋部分は、側面のケーシングを形成する外胴（図示せず）の上部を開閉するもので、上面のケーシングを形成する外蓋１０の内側に釜１の蓋となる内蓋２０を着脱可能に備え、また保温加熱のための蓋ヒータ３０及び釜内温度の検出のための蓋サーミスタ４０を備える。
【０００９】
外蓋１０の下面中心部分には、雄ネジを形成した外蓋軸１１が溶接により固着される。この外蓋軸１１は、図２に示すように外蓋１０下面との接触面にリング状の突起１１ａを形成しており、プロジェクション溶接により固着しているため、溶接作業が簡単でなおかつ強度が高い。そして、外縁にパッキン３１ａを備え上面で蓋ヒータ３０を保持する蓋ヒータカバー３１を、外蓋軸１１にナット１２にて締め付け固定する。更に、内蓋２０を保持するための樹脂製の内蓋軸２１を、Ｏリング３２を挟んで蓋ヒータカバー３１にビス止め固定する。このように、内蓋軸２１は外蓋軸１１と蓋ヒータカバー３１とにより外蓋１０下面に固定される。また、この内蓋軸２１の中心には蓋サーミスタ４０を固定するための貫通孔２１ａが軸方向に形成される。そして、蓋サーミスタ４０は内蓋軸２１の貫通孔２１ａの上方からＯリング４１を介して挿入され、その温度検出部分４０ａを内蓋軸２１の下端に露出した状態で貫通孔２１ａの内壁に固定される。また、内蓋軸２１には内蓋２０が着脱自在に保持される。内蓋２０は中心に形成した中心孔の内縁に内蓋ゴム２０ａを備え、内蓋ゴム２０ａの弾性変化により内蓋軸２１の外面段差部２１ｂに係合する。
【００１０】
このように外蓋軸１１を外蓋１０下面から固着するといった構成により、外蓋１０の外面に孔を空けないため外蓋１０外面に滴下された水に対してシールする構成が必要ない。また外蓋１０外側に露出する部品がないため外蓋１０の塗装を容易に行なうことができ、製造コストを低減させることができる。更に、内蓋２０を保持するための内蓋軸２１に蓋サーミスタ４０を固定することで、蓋サーミスタ４０の位置を固定するための専用部品を設ける必要がないため部品点数を少なくすることができる。加えて、蓋サーミスタ４０の温度検出部分を釜１内に露出させて釜内温度を検出するため、温度検出の精度を高くすることができる。
【００１１】
以上本発明の実施例について説明したが、本発明はこうした実施例に何等限定されるものではなく、本発明の要旨を逸脱しない範囲において、種々なる態様で実施し得ることは勿論である。
【００１２】
【発明の効果】
以上詳述したように、本発明の請求項１記載の炊飯器によれば、内蓋を保持するための内蓋保持軸に温度検出素子を固定することで、温度検出素子の位置を固定するための専用部品を設ける必要がないため、部品点数を少なくして製造コストを低減させることができる。また、内蓋保持軸の下端は釜内に露出しており、この内蓋保持軸を軸方向に貫通する貫通孔に温度検出素子を固定することで、釜内の温度を直接的に検出することができるため、温度検出の精度を高くすることができる。
しかも、内蓋保持軸は、保温加熱用の蓋ヒータを保持する蓋ヒータカバーに固定される。
【００１３】
更に、本発明の請求項２記載の炊飯器によれば、外蓋軸を外蓋外面に露出させない構成により、外蓋に孔を空けないため外蓋外面からの水に対してシールする構成が必要なく、また外蓋外側に露出する部品がないため外蓋の塗装が容易となり、製造コストを低減させることができる。
しかも、外蓋軸は、外蓋下面との接触面にリング状の突起を形成し、プロジェクション溶接により外蓋に固着しているため、溶接作業が簡単でなおかつ強度が強い。
【図面の簡単な説明】
【図１】一実施例としての炊飯器の蓋部分の構成を表わす断面図である。
【図２】外蓋軸の断面図である。
【符号の説明】
１０…外蓋、  １１…外蓋軸、  ２０…内蓋、  ２１…内蓋軸、
３０…蓋ヒータ、  ３１…蓋ヒータカバー、  ４０…蓋サーミスタ。
【図１】
0003651537.tif 000002
【図２】
0003651537.tif 000003